(57)【特許請求の範囲】
【請求項１】
フランジ部分を覆う凹部の内壁面から上記フランジ部分の側面に向かって突出する首部と、同首部から上記凹部の断面開口側及びその反対側の両側方へ延びる支持部とをそなえ、上記首部及び上記支持部の全体的断面がＴ字状となったリップを有し、上記首部の弾力的反力により上記支持部の両側部が上記フランジ部分の側面へ平面的に圧接されるように構成されたフランジトリム。
【請求項２】
請求項１において、上記凹部の開口側における上記支持部の端部に、上記凹部の内壁面へ向かって屈曲する受入れ部が形成されたフランジトリム。
【請求項３】
請求項１または請求項２において、上記リップは上記フランジ部分の両側面を挟んでそれぞれ対向し、もしくは、千鳥状に配設されたフランジトリム。
【発明の詳細な説明】
【０００１】
【発明の属する技術分野】
本発明は、車両等において、フランジ部分に取り付けられるウェザーストリップや目隠し、覆い、あるいは、装飾部品等のフランジトリムに関する。
【０００２】
【従来の技術】
図５に例示されているように、車両における従来のフランジトリム１は、その凹部２内で対向するように舌状部３が形成されており、相対的に凹部２内へ挿入されたフランジ部分４の両側面がそれぞれ両側の舌状部３で弾力的に挟み付けられることにより、フランジ部分４にフランジトリム１が取り付けられるようになっているが、舌状部３とフランジ部分４とはほぼ線接触をしているに過ぎないため両者間にすべりが生じやすくて、舌状部３によるフランジ部分４の保持力が比較的小さいので、フランジトリム１がフランジ部分４から外れやすい不具合があった。
【０００３】
また、特開平７−３１５１４７号公報に記載されたウェザーストリップの取付け構造は、ウェザーストリップ取付凹部の両内壁に係合爪が突設されると共に、ドリップフランジの突縁部が略矢じり状に形成されていて、ウェザーストリップ取付凹部に挿入されたドリップフランジの突縁部が上記係合爪に係合しているが、ドリップフランジの突縁部を略矢じり状に確実に形成させることは実際上難しく、とくに、ほぼ長方形のトランクリッドにおけるコーナー部のようにフランジ部分が長手方向に屈曲している場合には、その先端の略矢じり状がくずれやすく、従って、ウェザーストリップを安定した姿勢で保持することが困難であって、この部分から水洩れが起きやすい等の欠点がある。
【０００４】
【発明が解決しようとする課題】
本発明の目的は、フランジ部分に取り付けられたフランジトリムが、そのフランジ部分から外れにくくすることにある。
【０００５】
【課題を解決するための手段】
このため、本発明にかかるフランジトリムは、フランジ部分を覆う凹部の内壁面から上記フランジ部分の側面に向かって突出する首部と、同首部から上記凹部の断面開口側及びその反対側の両側方へ延びる支持部とをそなえ、上記首部及び上記支持部の全体的断面がＴ字状となったリップを有し、上記首部の弾力的反力により上記支持部の両側部が上記フランジ部分の側面へ平面的に圧接されるように構成されている。
【０００６】
すなわち、フランジ部分が相対的にフランジトリムの凹部内へ挿入されてリップの支持部を押圧したとき、リップの首部が弾力的に屈曲して、支持部の両側部がフランジトリム凹部の断面開口側及びその反対側の両側方でフランジ部分の側面へ平面的に圧接するため、フランジトリムの凹部内からフランジ部分が相対的に抜き出される場合には、リップの首部が上記と逆方向に屈曲することとなって、フランジ部分の側面と平面的に接触している支持部の側部がフランジ部分の側面へくい付くように作用し、支持部がフランジ部分の側面を強力に保持する結果、フランジトリムがフランジ部分から外れることを強く制止することができる。
【０００７】
【発明の実施の形態】
以下、本発明の各実施形態例について、同等部分にはそれぞれ同一符号を付けて説明する。
図１〜図３において、車両のトランクルーム１０を区画する車体１１の端縁フランジ部分１２に、ゴム状弾性体からなるウェザーストリップ１３が取り付けられ、トランクルーム１０を覆うトランクリッド１４の下面にウェザーストリップ１３の上端が接触して、トランクルーム１０内を外方からシールしている。
【０００８】
ウェザーストリップ１３は、その凹部１５内にそれぞれ対向するように複数のリップ１６が一体成形されており、各リップ１６は凹部１５の内壁面からフランジ部分１２の側面に向かって突出する首部１７と、首部１７の先端で首部１７に交叉して凹部１５の断面開口側及びその反対側の両側（図３の上下）へ延びる支持部１８とによって断面Ｔ字状となっており、各支持部１８には、凹部１５の開口側における端部に凹部１５の内壁面へ向かって屈曲する受入れ部１９が形成されている。
【０００９】
また、凹部１５の開口端に前記従来装置と同様な一対の舌状部２０が一体成形されており、凹部１５へ相対的に挿入されたフランジ部分１２の両側面と各リップ１６の支持部１８とが首部１７の弾力的屈曲により平面的に圧接して、ウェザーストリップ１３がフランジ部分１２へ弾力的に保持されていると共に、舌状部２０の先端によっても弾力的に保持されている。
【００１０】
フランジ部分１２にウェザーストリップ１３を取り付ける場合には、図４（ａ）に示されているように、フランジ部分１２の先端に対してウェザーストリップ１３を矢印のように被せていくと、ウェザーストリップ１３の凹部１５内へ相対的に挿入されたフランジ部分１２の先端が先ずリップ支持部１８の受入れ部１９に当接して、図４（ｂ）のように受入れ部１９を弾力的に押し開き、すなわち、リップ１６の首部１７と支持部１８との連結点Ａをほぼ中心として支持部１８を回転させ、さらにフランジ部分１２の先端がそれぞれ対向するリップ１６間へ相対的に挿入されることにより、リップ１６の首部１７がフランジ部分１２の挿入方向へ弾力的に倒れ込んで、図３及び図４（ｃ）のようにフランジ部分１２の両側面が、その両側面を挟んでそれぞれ対向するリップ１６の支持部１８により弾力的に挟持されることとなるので、フランジ部分１２に対するウェザーストリップ１３の取付けは比較的容易に行うことができる。
【００１１】
フランジ部分１２にウェザーストリップ１３が取り付けられた状態において、フランジ部分１２からウェザーストリップ１３を引き外そうとすると、フランジ部分１２の側面と平面的に接触したリップ１６の支持部１８が、フランジ部分１２と共に凹部１５の開口側へ向かって相対的に引き戻されようとするが、リップ１６の首部１７及び支持部１８が一体成形されているため、上記のように倒れ込んでいた首部１７が凹部１５の開口側へ起こされようとし、従って、各リップ１６の支持部１８は首部１７との連結点Ａをほぼ中心として図４（ｃ）の矢印のようにフランジ部分１２の側面へ向かって回動しようとするので、フランジ部分１２の側面と平面的に接触している各支持部１８において、首部１７に対し凹部１５の開口と反対側に位置している部分はフランジ部分１２の側面へくい付くように作用する。
【００１２】
すなわち、リップ１６の支持部１８がフランジ部分１２を比較的広いその両側面において強力に保持することとなるので、ウェザーストリップ１３がフランジ部分１２から外れることを強く制止して、ウェザーストリップ１３の確実な抜け止めを行うことができる。
【００１３】
また、ウェザーストリップ１３の各リップ１６における支持部１８には、凹部１５の開口側端部に凹部１５の内壁面へ向かって屈曲する受入れ部１９が形成されているため、フランジ部分１２にウェザーストリップ１３を取り付ける場合、ウェザーストリップ１３の凹部１５内へ相対的に挿入されたフランジ部分１２の先端が受入れ部１９に当接して、受入れ部１９を弾力的に押し開くことができるので、それぞれ対向するリップ１６間へフランジ部分１２の先端を相対的に容易に挿入させることが可能となり、従って、フランジ部分１２に対するウェザーストリップ１３の取付け操作が非常に簡単となる。
【００１４】
さらに、ウェザーストリップ１３はその凹部１５内にそれぞれ対向するように複数のリップ１６が一体成形されていて、各リップ１６の支持部１８によりそれぞれフランジ部分１２の側面を強力に保持することかできるので、フランジ部分１２からウェザーストリップ１３が外れることを確実に防止することができる。
【００１５】
しかも、ウェザーストリップ１３は押出し成形により任意の長さに簡単に製作することができて、コスト的に大層有利であるばかりでなく、フランジ部分１２は単なる平板状でよいため、フランジ部分１２がトランクルーム１０の周囲に沿って角部で長手方向に屈曲していても、フランジ部分１２の形状がその部分でとくに変化することはなく、従って、フランジ部分１２に取り付けられたウェザーストリップ１３の外形がとくに歪むようなことはない長所がある。
【００１６】
なお、上記実施形態例では、ウェザーストリップの凹部内にそれぞれ対向する複数の断面Ｔ字状リップが一体成形されていると共に、凹部の開口端に一対の舌状部が一体成形されているが、これら舌状部の一方を省略し、あるいは、舌状部自体を省略しても、それぞれ上記実施形態例と同等の作用効果を奏することができ、また、上記各実施形態例においてウェザーストリップの凹部内にそれぞれ一体成形された複数の断面Ｔ字状リップがフランジ部分の両側面に対して千鳥状に配置されるようにし、もしくは、フランジ部分の一側面側にのみウェザーストリップの凹部内に断面Ｔ字状リップを一体成形して、リップの首部が屈曲することによりリップの支持部がフランジ部分の上記一側面を平面的かつ弾力的に保持するようにしても、それぞれ上記各実施形態例と同様な作用効果を奏することができ、さらに、ウェザーストリップ以外に、フランジ部分に取り付けられる目隠し、覆い、あるいは、装飾部品等の各種フランジトリムに対しても、上記各実施形態例の場合と同様に本発明を実施できるのはいうまでもない。
【００１７】
【発明の効果】
本発明にかかるフランジトリムにおいては、フランジ部分が相対的にフランジトリムの凹部内へ挿入されてリップの支持部を押圧したとき、リップの首部が弾力的に屈曲して、支持部の両側部がフランジトリム凹部の断面開口側及びその反対側の両側方でフランジ部分の側面へ平面的に圧接するため、フランジトリムの凹部内からフランジ部分が相対的に抜き出される場合には、フランジ部分の側面と平面的に接触している支持部の側部がフランジ部分の側面へくい付くように作用し、支持部がフランジ部分の側面を強力に保持するため、フランジトリムがフランジ部分から外れることを強く制止することができる長所がある。
【図面の簡単な説明】
【図１】本発明の実施形態例における概略斜視図。
【図２】図１のＩＩ−ＩＩ縦断面拡大図。
【図３】上記実施形態例の要部縦断面拡大図。
【図４】上記実施形態例の作用説明図。
【図５】従来装置の縦断面拡大図。
【符号の説明】
１０  トランクルーム
１２  フランジ部分
１３  ウェザーストリップ
１５  凹部
１６  リップ
１７  首部
１８  支持部
１９  受入れ部
【図１】
0003550483.tif 000002
【図２】
0003550483.tif 000003
【図３】
0003550483.tif 000004
【図４】
0003550483.tif 000005
【図５】
0003550483.tif 000006